(57)【要約】【課題】編集により作成されたコンテンツデータ毎にその作成のために利用された個々のコンテンツデータの著作権を証明できるようにする。【解決手段】著作権者２００によって作成されたコンテンツデータには、当該コンテンツデータのコンテンツＩＤと、当該コンテンツデータの権利情報である著作権情報とが電子透かしとして埋め込まれる。このコンテンツデータを編集著作者２０１が編集することによって作成された新たな編集コンテンツデータには、著作権者２００が作成したコンテンツに関する原コンテンツＩＤ情報（権利情報を含む）と、編集著作者２０１が編集により作成したコンテンツに関する編集コンテンツＩＤ情報（著作隣接権などの権利情報を含む）とが電子透かしとして埋め込まれる。【選択図】　　図２
2004139184.tif 000002
【特許請求の範囲】
【請求項１】
著作権の対象となるコンテンツデータを保護するためのコンテンツ管理処理をコンピュータによって実行するコンテンツ管理処理システムにおいて、
著作権の対象となるコンテンツデータに、当該コンテンツデータの著作権者に関する著作権情報を含む電子透かしを埋め込む手段と、
編集前のコンテンツデータの著作権者に関する著作権情報と、編集により新たに作成された編集コンテンツデータの編集著作者に関する著作権情報とを管理し、著作権の対象となるコンテンツデータの編集によって新たに作成された編集コンテンツデータに、編集前のコンテンツデータの著作権者に関する著作権情報と前記作成された編集コンテンツデータの編集著作者に関する著作権情報とが電子透かしとして埋め込まれるように、コンテンツデータの編集の度にそれに埋め込む電子透かしの内容を更新する手段とを具備することを特徴とするコンテンツ管理処理システム。
【請求項２】
コンテンツデータを著作権利用者が商品として流通させる際に、当該流通対象となるコンテンツデータに電子透かしとして埋め込まれた内容に前記著作権利用者によるコンテンツデータの利用に関する流通情報が追加されるように、前記流通対象となるコンテンツデータの電子透かしの内容を更新する手段をさらに具備することを特徴とする請求項１記載のコンテンツ管理処理システム。
【請求項３】
複数回の編集が繰り返されたコンテンツデータ毎に、それに電子透かしとして埋め込むべき複数の著作権情報それぞれの内容とそれら著作権情報に割り当てられた識別情報との関係をデータベースを用いて管理する手段と、
前記複数回の編集が繰り返されたコンテンツデータに、当該コンテンツデータに関する複数の著作権情報それぞれの内容に対応する識別情報を電子透かしとして埋め込む手段をさらに具備することを特徴とする請求項１記載のコンテンツ管理処理システム。
【請求項４】
著作権の対象となる各コンテンツデータ毎に当該コンテンツデータを識別するためのコンテンツ識別情報を当該コンテンツデータに電子透かしとして埋め込む処理と、前記コンテンツデータの著作権情報と前記コンテンツ識別情報とを対応付けてデータベースに登録する処理とをコンピュータに実行させるコンテンツ管理処理システムにおいて、
著作権の対象となるコンテンツデータを編集著作者が編集することによって新たに作成された編集コンテンツデータ毎に、当該編集コンテンツデータを識別するためのコンテンツ識別情報と当該編集コンテンツデータの編集著作者に関する著作権情報とを前記データベースに登録して管理する手段と、
前記新たに作成された編集コンテンツデータに、その編集前のコンテンツデータに対応するコンテンツ識別情報と前記編集コンテンツデータに対応するコンテンツ識別情報とを含む電子透かしを埋め込む手段とを具備することを特徴とするコンテンツ管理処理システム。
【請求項５】
著作権の対象となるコンテンツデータを保護するためのコンテンツ管理処理をコンピュータに実行させるコンテンツ管理処理方法であって、
著作権の対象となるコンテンツデータに、当該コンテンツデータの著作権者に関する著作権情報を含む電子透かしを埋め込むステップと、
編集前のコンテンツデータの著作権者に関する著作権情報と、編集により新たに作成された編集コンテンツデータの編集著作者に関する著作権情報とを管理し、著作権の対象となるコンテンツデータの編集によって新たに作成された編集コンテンツデータに、編集前のコンテンツデータの著作権者に関する著作権情報と前記作成された編集コンテンツデータの編集著作者に関する著作権情報とが電子透かしとして埋め込まれるように、コンテンツデータの編集の度にそれに埋め込む電子透かしの内容を更新するステップとを具備することを特徴とするコンテンツ管理処理方法。
【請求項６】
コンテンツデータを著作権利用者が商品として流通させる際に、当該流通対象となるコンテンツデータに電子透かしとして埋め込まれた内容に前記著作権利用者に関する流通情報が追加されるように、前記流通対象となるコンテンツデータの電子透かしの内容を更新するステップをさらに具備することを特徴とする請求項５記載のコンテンツ管理処理方法。
【請求項７】
複数回の編集が繰り返されたコンテンツデータ毎に、それに電子透かしとして埋め込むべき複数の著作権情報それぞれの内容とそれら著作権情報に割り当てられた識別情報との関係をデータベースを用いて管理するステップと、
前記複数回の編集が繰り返されたコンテンツデータに、当該コンテンツデータに関する複数の著作権情報それぞれの内容に対応する識別情報を電子透かしとして埋め込むステップをさらに具備することを特徴とする請求項５記載のコンテンツ管理処理方法。
【請求項８】
著作権の対象となる各コンテンツデータ毎に当該コンテンツデータを識別するためのコンテンツ識別情報を当該コンテンツデータに電子透かしとして埋め込む処理と、前記コンテンツデータの著作権情報と前記コンテンツ識別情報とを対応付けてデータベースに登録する処理とをコンピュータに実行させることによって、コンテンツデータを保護するコンテンツ管理処理方法であって、
著作権の対象となるコンテンツデータを編集著作者が編集することによって新たに作成された編集コンテンツデータ毎に、当該編集コンテンツデータを識別するためのコンテンツ識別情報と当該編集コンテンツデータの編集著作者に関する著作権情報とを前記データベースに登録して管理するステップと、
前記新たに作成された編集コンテンツデータに、その編集前のコンテンツデータに対応するコンテンツ識別情報と前記編集コンテンツデータに対応するコンテンツ識別情報とを含む電子透かしを埋め込むステップとを具備することを特徴とするコンテンツ管理処理方法。
【発明の詳細な説明】
【０００１】
【発明の属する技術分野】
本発明は、著作権の対象となるコンテンツデータを保護するためのコンテンツ管理処理システムおよびコンテンツ管理処理方法に関し、特にコンピュータネットワークを用いてコンテンツデータの配信・流通を行うシステムに適用されるコンテンツ管理処理システムおよびコンテンツ管理処理方法に関する。
【０００２】
【従来の技術】
近年、インターネットの普及およびデジタル処理技術の進展に伴い、映像・音声・データ等のデジタルコンテンツ（コンテンツデータ）をインターネットなどのコンピュータネットワークを介して配信するビジネスが注目されている。
【０００３】
コンピュータネットワークを介して配信されるコンテンツデータを保護する技術としては、従来より電子透かしが多く用いられている。電子透かしは、コンテンツデータの実体に影響を与えることなく、著作権を管理するための著作権情報をコンテンツデータに埋め込む技術である。この電子透かしを利用することにより、コンテンツデータの著作権の内容を証明することができるので、コンテンツデータの不正使用を抑止することが可能となる。
【０００４】
また、従来では、著作権者がコンテンツ登録時に使用した発信回線番号を電子透かしとしてコンテンツに埋め込むものが知られている（例えば、特許文献１参照。）。
【０００５】
【特許文献１】
特開２００２−１７５３８０号公報（第３−５頁）
【０００６】
【発明が解決しようとする課題】
ところで、最近では、著作権者によって作成されたコンテンツデータは購入者に販売されるだけでなく、その二次利用の許諾を得た編集著作者が当該コンテンツデータを利用して新たなコンテンツデータを作成するという、いわゆるコンテンツデータの二次利用も多く行われている。新たなコンテンツデータを作成するためのコンテンツの二次利用は、コンテンツの編集と称される。
【０００７】
また、その編集により新たに作成された編集コンテンツデータをさらに二次利用することによって、さらに別の編集コンテンツデータが作成されることもある。
【０００８】
このような場合、編集により新たに作成された個々の編集コンテンツデータには編集著作者の権利の他、その編集コンテンツデータの作成に利用されたオリジナルのコンテンツデータに関する著作権が付帯することになる。よって、編集により作成されたコンテンツデータ毎に、その作成のために利用された個々のコンテンツデータの著作権についてもその権利関係を明らかにする仕組みが必要となる。
【０００９】
本発明は上述の事情を考慮してなされたものであり、編集により作成されたコンテンツデータ毎にその作成のために利用された個々のコンテンツデータの著作権を証明できるようにし、コンテンツデータの著作権の保護および二次利用を効率よく行うことが可能なコンテンツ管理処理システムおよびコンテンツ管理処理方法を提供することを目的とする。
【００１０】
【課題を解決するための手段】
上述の課題を解決するため、本発明は、著作権の対象となるコンテンツデータを保護するためのコンテンツ管理処理をコンピュータによって実行するコンテンツ管理処理システムにおいて、著作権の対象となるコンテンツデータに、当該コンテンツデータの著作権者に関する著作権情報を含む電子透かしを埋め込む手段と、編集前のコンテンツデータの著作権者に関する著作権情報と、編集により新たに作成された編集コンテンツデータの編集著作者に関する著作権情報とを管理し、著作権の対象となるコンテンツデータの編集によって新たに作成された編集コンテンツデータに、編集前のコンテンツデータの著作権者に関する著作権情報と前記作成された編集コンテンツデータの編集著作者に関する著作権情報とが電子透かしとして埋め込まれるように、コンテンツデータの編集の度にそれに埋め込む電子透かしの内容を更新する手段とを具備することを特徴とする。
【００１１】
また、本発明は、著作権の対象となる各コンテンツデータ毎に当該コンテンツデータを識別するためのコンテンツ識別情報を当該コンテンツデータに電子透かしとして埋め込む処理と、前記コンテンツデータの著作権情報と前記コンテンツ識別情報とを対応付けてデータベースに登録する処理とをコンピュータに実行させるコンテンツ管理処理システムにおいて、著作権の対象となるコンテンツデータを編集著作者が編集することによって新たに作成された編集コンテンツデータ毎に、当該編集コンテンツデータを識別するためのコンテンツ識別情報と当該編集コンテンツデータの編集著作者に関する著作権情報とを前記データベースに登録して管理する手段と、前記新たに作成された編集コンテンツデータに、その編集前のコンテンツデータに対応するコンテンツ識別情報と前記編集コンテンツデータに対応するコンテンツ識別情報とを含む電子透かしを埋め込む手段とを具備することを特徴とする。
【００１２】
これら本発明のコンテンツ管理処理システムによれば、コンテンツデータ毎にその作成に使用した著作権の利用履歴を正しく管理することが可能となる。よって、作成されたコンテンツデータ毎にその作成のためにどのコンテンツデータの著作権が利用されたかなどを証明できるようなり、利用されたコンテンツデータの著作権を保護できると共に、その二次利用に際しても利用許諾を行うべき著作権者の確認が容易となる。
【００１３】
【発明の実施の形態】
以下、図面を参照して、本発明の実施形態を説明する。
図１には、本発明の一実施形態に係るコンテンツ管理処理システムの基本構成が示されている。
【００１４】
このコンテンツ管理処理システムは、コンピュータネットワーク上でコンテンツデータの著作権管理、利用、流通、課金等の処理を支援するためのシステムであり、図示のように、電子認証サーバ１００、コンテンツＩＤ発行サーバ１０１、知的財産権データベースサーバ１０２、および課金決済サーバ１０３などを用いて実現されている。
【００１５】
電子認証サーバ１００は、コンピュータネットワークを通じて著作権者２００、編集著作者２０１、著作権利用者２０２それぞれの端末と通信可能に構成されており、それら著作権者２００、編集著作者２０１、著作権利用者２０２それぞれの正当性を確認するための電子認証処理を行う。著作権者２００、編集著作者２０１、著作権利用者２０２は、予め電子認証サーバ１００に対して自身を登録する。コンテンツＩＤ発行サーバ１０１、知的財産権データベースサーバ１０２、および課金決済サーバ１０３はそれぞれ電子認証サーバ１００と連携して動作し、各権利者を認証する。
【００１６】
ここで、著作権者とはオリジナルのコンテンツデータを創作・作成した権利者を意味し、また編集著作者とは著作権者にコンテンツデータの二次利用の許諾を得てそのコンテンツデータを二次利用して新たなコンテンツデータ（二次著作物）を作成する者を意味する。新たなコンテンツデータを作成するためのコンテンツの二次利用は、コンテンツデータの編集と称される。二次著作物には、もとの著作権者の権利と二次著作物を作成した編集著作者の権利（例えば著作隣接権なども含む）が存在する。また著作権利用者は主にコンテンツデータを商品として流通・販売する者を意味する。具体的には、コンテンツデータの利用は、コンテンツデータの放送、ネットワークによる配信、媒体での販売などを指す。
【００１７】
コンテンツＩＤ発行サーバ１０１は、著作権者２００、編集著作者２０１、著作権利用者２０２それぞれの要求に応じてコンテンツＩＤの発行、照会、更新を行うと共に、知的財産権データベースサーバ１０２と連携して、各コンテンツデータ（二次著作物も含む）を保護するためのコンテンツ管理処理を実行する。
【００１８】
具体的には、コンテンツＩＤ発行サーバ１０１は、各コンテンツデータにコンテンツＩＤと当該コンテンツデータの著作権を管理するための著作権情報を電子透かしとして埋め込む処理、および各コンテンツデータ毎にそれに対応する著作権情報を知的財産権データベースサーバ１０２の知的財産権データベースにコンテンツＩＤと対応付けて登録する等の処理を行う。コンテンツＩＤは各コンテンツデータ毎にそれを一意に識別するためのコンテンツ識別情報である。
【００１９】
知的財産権データベースサーバ１０２は、コンテンツＩＤ発行サーバ１０１と連携して、知的財産権データベースを管理する。知的財産権データベースには、それに登録されたコンテンツデータ毎にそれに付帯する著作権に関する権利情報（二次著作物の場合には元の著作権者および編集著作者それぞれの権利情報）が属性情報として登録されている。
【００２０】
知的財産権データベースに登録された属性情報は、コンテンツＩＤ発行サーバ１０１によって発行されたコンテンツＩＤに関連づけて管理されている。属性情報は、必要に応じて著作権者２００、編集著作者２０１、著作権利用者２０２それぞれから参照される。
【００２１】
課金決済サーバ１０３は、例えば購入者２０３が著作権利用者２０２の販売するコンテンツを購入する際などに課金決済を行う。
【００２２】
図２には、本コンテンツ管理処理システムによるコンテンツ管理処理のモデルを構成するレイヤ構造が示されている。コンテンツ管理処理を行うために、システムレイヤ、著作権者・関係者レイヤ、コンテンツデータベース（ＤＢ）レイヤ、およびコンテンツデータ形式レイヤの４つのレイヤが定義されている。
【００２３】
システムレイヤは本コンテンツ管理処理システムの基盤システムであり、上述の電子認証サーバ１００、コンテンツＩＤ発行サーバ１０１、知的財産権データベースサーバ１０２、および課金決済サーバ１０３から構成されている。
【００２４】
著作権者・関係者レイヤは、著作権者２００、編集著作者２０１、著作権利用者２０２、および購入者２０３から構成される。
【００２５】
コンテンツデータベース（ＤＢ）レイヤは、著作権者２００、編集著作者２０１、著作権利用者２０２、および購入者２０３それぞれに対応付けてそれらが利用するデータベースを定義したものである。このコンテンツデータベース（ＤＢ）レイヤは、コンテンツデータベース３００、コンテンツ編集データベース３０１、二次著作コンテンツデータベース３０２、配信サーバデータベース３０３、およびローカルクライアントデータベース４０４から構成される。
【００２６】
コンテンツデータベース３００は、著作権者２００が作成したコンテンツデータを格納するデータベースである。このコンテンツデータベース３００はコンピュータネットワークによる伝送が可能なサーバ内に設けられており、コンピュータネットワークを通じて公開されている。
【００２７】
コンテンツ編集データベース３０１は、二次的な著作権者である編集著作者２０１が著作権者２００から利用許諾を得たコンテンツデータを格納するデータベースである。二次著作コンテンツデータベース３０２は、編集著作者２０１が著作権者２００から利用許諾を得たコンテンツを編集することによって作成した新たなコンテンツデータである二次コンテンツデータ（編集コンテンツデータ）を格納するデータベースである。この二次著作コンテンツデータベース３０２もコンピュータネットワークを通じて公開されている。編集著作者２０１は著作権者２００から利用許諾を得たコンテンツデータのみならず、他の編集著作者２０１によって作成されたコンテンツデータをその編集著作者２０１および元の著作権者２００から利用許諾を得て編集することにより二次コンテンツデータ（編集コンテンツデータ）を作成することもできる。
【００２８】
配信サーバデータベース３０３は、著作権利用者２０２が購入者に対してコンテンツデータを提供するために使用するデータベースである。この配信サーバデータベース３０３は、コンピュータネットワークによる伝送が可能なサーバ内に設けられている。
【００２９】
ローカルクライアントデータベース３０４は、購入者２０３が著作権利用者２０２から購入したコンテンツデータを格納するデータベースである。各エンドユーザが所有するセットトップボックスやパーソナルコンピュータなどの記憶装置上に構成される。
【００３０】
コンテンツデータ形式レイヤは、コンテンツデータのフォーマット形式を定義したレイヤである。大別して４種類のフォーマット形式が定義されている。
【００３１】
第１のフォーマット形式４００は、著作権者２００が作成したコンテンツデータのフォーマット形式を示すものである。この第１のフォーマット形式４００は、作成されたコンテンツデータ（原コンテンツ）とそのコンテンツデータに電子透かしとして埋め込まれたコンテンツＩＤ情報（権利情報を含む）とから構成される。コンテンツＩＤ情報は、当該コンテンツデータのコンテンツＩＤと、当該コンテンツデータの権利情報である著作権情報（例えば、著作者名、コンテンツ作成日、コンテンツの利用条件、等）を含む。
【００３２】
コンテンツデータベース３００においては、第１のフォーマット形式４００を持つコンテンツデータが格納される。各コンテンツデータは、それに対応するコンテンツＩＤ情報に対応付けられた状態で、コンテンツデータベース３００で管理される。コンテンツデータベース３００のコンテンツＩＤ情報は、各コンテンツの検索、権利情報の参照等のために利用される。
【００３３】
第２のフォーマット形式４０１は、編集著作者２０１により作成された編集コンテンツデータのフォーマット形式を示すものである。この第２のフォーマット形式４０１は、作成された編集コンテンツデータ（編集コンテンツ）とそのコンテンツデータに電子透かしとして埋め込まれたコンテンツＩＤ情報（権利情報を含む）とから構成される。このコンテンツＩＤ情報には、著作権者２００が作成したコンテンツに関する原コンテンツＩＤ情報（権利情報を含む）と、編集著作者２０１が編集により作成したコンテンツに関する編集コンテンツＩＤ情報（著作隣接権などの権利情報を含む）とが含まれている。
【００３４】
編集コンテンツＩＤ情報は、編集コンテンツを一意に識別するための編集コンテンツＩＤと、編集コンテンツを作成した編集著作者に関する著作隣接権などの権利情報を含む。
【００３５】
すなわち、編集コンテンツデータには、編集に利用したコンテンツデータの著作権者に関する著作権情報と編集コンテンツデータを作成した編集著作者に関する著作権情報とを含む権利情報が電子透かしとして埋め込まれる。このように、編集により新たに二次コンテンツが作成される度にそこに電子透かしとして埋め込まれる著作権情報の内容の追加・更新が行われる。
【００３６】
二次著作コンテンツデータベース３０２においては、第２のフォーマット形式４０１を持つ編集コンテンツデータが格納される。各編集コンテンツデータは、それに対応する編集コンテンツＩＤ情報（または編集コンテンツＩＤ情報と原コンテンツＩＤ情報の双方）と対応付けられた状態でコンテンツデータベース３００で管理される。二次著作コンテンツデータベース３０２の編集コンテンツＩＤ情報（または編集コンテンツＩＤ情報と原コンテンツＩＤ情報の双方）は、各編集コンテンツの検索、権利情報の参照等のために利用される。
【００３７】
第３のフォーマット形式４０２は、著作権利用者２０２がコンテンツデータを流通（例えば販売）する際に使用されるフォーマット形式を示すものである。この第３のフォーマット形式４０２は、第１または第２のコンテンツフォーマット形式４００，４０１に対して流通コンテンツＩＤ情報（流通等の利用に関する権利情報を含む）が付加されたものである。流通コンテンツＩＤ情報は、流通対象のコンテンツデータのコンテンツＩＤと、著作権利用者２０２の利用許諾権等を示す、著作権利用者２０２による当該コンテンツデータの利用に関する流通情報を含む。流通コンテンツＩＤ情報は、原コンテンツＩＤ情報および編集コンテンツＩＤ情報と一緒に電子透かしとしてコンテンツデータに埋め込まれる。
【００３８】
第４のフォーマット形式４０３は、購入者２０３が著作権利用者２０２より購入するときのコンテンツデータのフォーマット形式を示すものである。４０２のコンテンツフォーマット形式に対して、コンテンツをネットワーク上で配布するためにデジタル著作権保護（ＤＲＭ）技術によるコンテンツ保護を行ったフォーマット形式である。
【００３９】
コンテンツデータに対する電子透かしの埋め込みは、上述したように、コンテンツＩＤ発行サーバ１０１によって行われる。コンテンツＩＤ発行サーバ１０１は、上述のフォーマット形式に従い、著作権者、編集著作者、著作権利用者などの情報をコンテンツデータに電子透かし情報として追加更新していく。
【００４０】
次に、図３を参照して、本実施形態によるコンテンツ管理処理の基本手順について説明する。ここでは、コンテンツデータの編集によって編集コンテンツデータが新たに作成された場合の処理について説明する。
【００４１】
（ステップ１）；　著作権者２００は、映像、音楽、他のデータ等のコンテンツデータを制作する。
（ステップ２）；　著作権者２００は、コンテンツＩＤ発行サーバ１０１へコンテンツデータ及び当該コンテンツに関する自身の著作権情報を示す権利情報を送付し、コンテンツＩＤの発行をコンテンツＩＤ発行サーバ１０１に要求する。
【００４２】
（ステップ３）；　コンテンツＩＤ発行サーバ１０１は、著作権者２００から送られてきたコンテンツデータを一意に識別するためのコンテンツＩＤを発行するとともに、そのコンテンツデータの著作権情報とコンテンツＩＤとを対応付けて知的財産権データベースサーバ１０２のデータベースに登録する。
（ステップ４）；　コンテンツＩＤ発行サーバ１０１は、コンテンツＩＤおよび著作権情報を電子透かしとしてコンテンツデータに埋め込む。
【００４３】
（ステップ５）；　コンテンツＩＤ発行サーバ１０１は、コンテンツＩＤを著作権者２００に通知すると共に、電子透かし入りのコンテンツデータを著作権者２００に返却する。
（ステップ６）；　著作権者２００は、コンテンツＩＤおよび著作権情報を含むコンテンツＩＤ情報と、電子透かし入りのコンテンツデータとをコンテンツデータベース３００に登録して、その内容を公開する。
【００４４】
（ステップ７）；　編集著作者２０１は、コンテンツデータベース３００にアクセスして、二次利用対象のコンテンツデータに対応するコンテンツＩＤ情報を検索する。
（ステップ８）；　編集著作者２０１は、検索したコンテンツＩＤ情報から、利用許諾契約を結ぶことが必要な著作権者２００を確認し、そして当該著作権者２００と利用許諾契約を行う。
【００４５】
（ステップ９）；　編集著作者２０１との利用許諾を締結した著作権者２００は、契約内容を示す契約情報と共に電子透かし入りのコンテンツを編集著作者２０１に送信する。
（ステップ１０）；　編集著作者２０１は、電子透かし入りのコンテンツを編集することによって新たな編集コンテンツデータを作成する。
【００４６】
（ステップ１１）；　編集著作者２０１は、コンテンツＩＤ発行サーバ１０１へ編集コンテンツデータと、当該コンテンツに関する自身の著作権情報（著作隣接権）と、利用許諾の締結を示す契約情報とを送付し、コンテンツＩＤの発行をコンテンツＩＤ発行サーバ１０１に要求する。契約情報は編集コンテンツデータの作成に利用したコンテンツデータの著作権情報を含むものであり、編集コンテンツデータの作成にどのような著作物が利用されたかをコンテンツＩＤ発行サーバ１０１に通知するために用いられる。
【００４７】
（ステップ１２）；　コンテンツＩＤ発行サーバ１０１は、著作権者２００から送られてきた編集コンテンツデータを一意に識別するためのコンテンツＩＤを発行するとともに、その編集コンテンツデータの編集著作者２０１に関する著作権情報（著作隣接権等）と、元のコンテンツデータの著作権者２００に関する著作権情報と、コンテンツＩＤとを対応付けて知的財産権データベースサーバ１０２のデータベースに登録する。
【００４８】
（ステップ１３）；　コンテンツＩＤ発行サーバ１０１は、コンテンツＩＤと、編集コンテンツデータの編集著作者２０１に関する著作権情報と、元のコンテンツデータの著作権者２００に関する著作権情報とを電子透かしとしてコンテンツデータに埋め込む。このようにして、編集コンテンツデータには電子透かしによるタグの付け直しが行われ、この電子透かしにより、編集コンテンツデータの編集著作者２０１に関する著作権情報と元のコンテンツデータの著作権者２００に関する著作権情報とを証明することが可能となる。
【００４９】
（ステップ１４）；　コンテンツＩＤ発行サーバ１０１は、コンテンツＩＤを編集著作者２０１に通知すると共に、電子透かし入りのコンテンツデータを編集著作者２０１に返却する。
【００５０】
（ステップ１５）；　編集著作者２０１は、コンテンツＩＤおよび著作権情報（編集コンテンツデータの編集著作者２０１に関する著作権情報（著作隣接権等）と元のコンテンツデータの著作権者２００に関する著作権情報）を含むコンテンツＩＤ情報と、電子透かし入りのコンテンツデータとを二次著作コンテンツデータベース３０２に登録して、その内容を公開する。
【００５１】
このようにして、編者コンテンツデータには、当該編集コンテンツデータの編集著作者の著作権情報のみならず、当該編集コンテンツデータの作成に利用したコンテンツデータの著作権者の著作権情報も一緒に電子透かしとして埋め込まれる。
【００５２】
これにより、コンテンツデータ毎にその作成に使用した著作権の利用履歴を正しく管理することが可能となる。よって、作成されたコンテンツデータ毎にその作成のためにどのコンテンツデータの著作権が利用されたかなどを電子透かしによって証明できるようなり、利用されたコンテンツデータの著作権を保護できると共に、その二次利用に際しても利用許諾を行うべき著作権者の確認が容易となる。
【００５３】
なお、例えば編集コンテンツデータをさらに編集して新たな編集コンテンツデータを作成する場合などのように、複数回の編集が繰り返されて作成されたコンテンツデータについては、それに電子透かしとして埋め込むべき権利情報の情報量が増大する場合がある。
【００５４】
これを防止するため、コンテンツＩＤ発行サーバ１０１には、電子透かしとして埋め込むべき複数の著作権情報それぞれの内容に対してそれを集約して表すための識別情報を割り当て、その識別情報とそれに対応する複数の著作権情報との関係を、例えば知的財産権データベースサーバ１０２のデータベースを用いて管理する機能が設けられている。
【００５５】
コンテンツＩＤ発行サーバ１０１は、複数の著作権情報の代わりに、それに対応する識別情報を電子透かしとしてコンテンツデータに埋め込む。この場合、識別情報としては、上述のコンテンツＩＤそのものを利用することもできる。
【００５６】
各コンテンツデータの権利情報は、そのコンテンツデータに対応するコンテンツＩＤを用いることによって知的財産権データベースサーバ１０２のデータベースから参照することが出来る。よって、この場合には、コンテンツＩＤは、当該コンテンツＩＤが割り当てられたコンテンツデータ（編集コンテンツデータも含む）の著作権管理情報として用いられることになる。
【００５７】
このように、コンテンツＩＤそのものを著作権管理情報として利用する事も可能である。よって、権利情報の増加とは無関係に、最初からコンテンツＩＤを著作権管理情報として含む電子透かしを各コンテンツデータに埋め込むようにしてもよい。この場合、図３の処理は次のように行われることになる。
【００５８】
（ステップ１）；　著作権者２００は、映像、音楽、他のデータ等のコンテンツデータを制作する。
（ステップ２）；　著作権者２００は、コンテンツＩＤ発行サーバ１０１へコンテンツデータ及び当該コンテンツに関する自身の著作権情報を示す権利情報を送付し、コンテンツＩＤの発行をコンテンツＩＤ発行サーバ１０１に要求する。
【００５９】
（ステップ３）；　コンテンツＩＤ発行サーバ１０１は、著作権者２００から送られてきたコンテンツデータを一意に識別するためのコンテンツＩＤを発行するとともに、そのコンテンツデータの著作権情報とコンテンツＩＤとを対応付けて知的財産権データベースサーバ１０２のデータベースに登録する。
（ステップ４）；　コンテンツＩＤ発行サーバ１０１は、コンテンツＩＤを著作権管理情報として含む電子透かしをコンテンツデータに埋め込む。
【００６０】
（ステップ５）；　コンテンツＩＤ発行サーバ１０１は、コンテンツＩＤを著作権者２００に通知すると共に、電子透かし入りのコンテンツデータを著作権者２００に返却する。
（ステップ６）；　著作権者２００は、コンテンツＩＤと電子透かし入りのコンテンツデータとをコンテンツデータベース３００に登録して、その内容を公開する。
【００６１】
（ステップ７）；　編集著作者２０１は、コンテンツデータベース３００にアクセスして、二次利用対象のコンテンツデータに対応するコンテンツＩＤを検索する。
（ステップ８）；　編集著作者２０１は、コンテンツＩＤを用いて知的財産権データベースサーバ１０２のデータベースを検索し、利用許諾契約を結ぶことが必要な著作権者２００を確認し、そして当該著作権者２００と利用許諾契約を行う。
【００６２】
（ステップ９）；　編集著作者２０１との利用許諾を締結した著作権者２００は、契約内容を示す契約情報と共に電子透かし入りのコンテンツを編集著作者２０１に送信する。
（ステップ１０）；　編集著作者２０１は、電子透かし入りのコンテンツを編集することによって新たな編集コンテンツデータを作成する。
【００６３】
（ステップ１１）；　編集著作者２０１は、コンテンツＩＤ発行サーバ１０１へ編集コンテンツデータと、当該コンテンツに関する自身の著作権情報（著作隣接権）と、利用許諾の締結を示す契約情報とを送付し、コンテンツＩＤの発行をコンテンツＩＤ発行サーバ１０１に要求する。契約情報は編集コンテンツデータの作成に利用したコンテンツデータの著作権情報を含むものであり、編集コンテンツデータの作成にどのような著作物が利用されたかをコンテンツＩＤ発行サーバ１０１に通知するために用いられる。もちろん、編集コンテンツデータの作成に利用したコンテンツデータのコンテンツＩＤを、コンテンツＩＤ発行サーバ１０１に通知してもよい。
【００６４】
（ステップ１２）；　コンテンツＩＤ発行サーバ１０１は、著作権者２００から送られてきた編集コンテンツデータを一意に識別するためのコンテンツＩＤを発行するとともに、その編集コンテンツデータの編集著作者２０１に関する著作権情報（著作隣接権等）と、元のコンテンツデータの著作権者２００に関する著作権情報と、編集コンテンツデータに対して発行したコンテンツＩＤとを対応付けて知的財産権データベースサーバ１０２のデータベースに登録する。
【００６５】
（ステップ１３）；　コンテンツＩＤ発行サーバ１０１は、発行したコンテンツＩＤを当該編集コンテンツデータの著作権管理情報として含む電子透かしを当該編集コンテンツデータに埋め込む。この電子透かしで示されるコンテンツＩＤと、知的財産権データベースサーバ１０２のデータベースとにより、当該編集コンテンツデータの編集著作者２０１に関する著作権情報と元のコンテンツデータの著作権者２００に関する著作権情報とを証明することが可能となる。
【００６６】
（ステップ１４）；　コンテンツＩＤ発行サーバ１０１は、コンテンツＩＤを編集著作者２０１に通知すると共に、電子透かし入りのコンテンツデータを編集著作者２０１に返却する。
【００６７】
（ステップ１５）；　編集著作者２０１は、コンテンツＩＤと、電子透かし入りのコンテンツデータとを二次著作コンテンツデータベース３０２に登録して、その内容を公開する。
【００６８】
このように、コンテンツＩＤそのものを著作権管理情報として含む電子透かしをコンテンツデータに埋め込む場合においても、電子透かしとして埋め込まれる著作権管理情報の内容を更新することにより、コンテンツデータ毎にその作成に使用した著作権の利用履歴を正しく管理することが可能となる。
【００６９】
また、他の応用例として、編集コンテンツデータに、その編集コンテンツデータに対応するコンテンツＩＤと編集前のコンテンツデータのコンテンツＩＤとを含む電子透かしを埋め込むようにして、編集によって新たなコンテンツデータが作成される度に、それに電子透かしとして埋め込むべきコンテンツＩＤを追加・更新していくことも可能である。この場合、図３の処理は次のように行われることになる。
【００７０】
（ステップ１）；　著作権者２００は、映像、音楽、他のデータ等のコンテンツデータを制作する。
（ステップ２）；　著作権者２００は、コンテンツＩＤ発行サーバ１０１へコンテンツデータ及び当該コンテンツに関する自身の著作権情報を示す権利情報を送付し、コンテンツＩＤの発行をコンテンツＩＤ発行サーバ１０１に要求する。
【００７１】
（ステップ３）；　コンテンツＩＤ発行サーバ１０１は、著作権者２００から送られてきたコンテンツデータを一意に識別するためのコンテンツＩＤを発行するとともに、そのコンテンツデータの著作権情報とコンテンツＩＤとを対応付けて知的財産権データベースサーバ１０２のデータベースに登録する。
（ステップ４）；　コンテンツＩＤ発行サーバ１０１は、コンテンツＩＤを著作権管理情報として含む電子透かしをコンテンツデータに埋め込む。
【００７２】
（ステップ５）；　コンテンツＩＤ発行サーバ１０１は、コンテンツＩＤを著作権者２００に通知すると共に、電子透かし入りのコンテンツデータを著作権者２００に返却する。
（ステップ６）；　著作権者２００は、コンテンツＩＤと電子透かし入りのコンテンツデータとをコンテンツデータベース３００に登録して、その内容を公開する。
【００７３】
（ステップ７）；　編集著作者２０１は、コンテンツデータベース３００にアクセスして、二次利用対象のコンテンツデータに対応するコンテンツＩＤを検索する。
（ステップ８）；　編集著作者２０１は、コンテンツＩＤを用いて知的財産権データベースサーバ１０２のデータベースを検索し、利用許諾契約を結ぶことが必要な著作権者２００を確認し、そして当該著作権者２００と利用許諾契約を行う。
【００７４】
（ステップ９）；　編集著作者２０１との利用許諾を締結した著作権者２００は、契約内容を示す契約情報と共に電子透かし入りのコンテンツを編集著作者２０１に送信する。契約情報にはコンテンツＩＤも含まれている。
（ステップ１０）；　編集著作者２０１は、電子透かし入りのコンテンツを編集することによって新たな編集コンテンツデータを作成する。
【００７５】
（ステップ１１）；　編集著作者２０１は、コンテンツＩＤ発行サーバ１０１へ編集コンテンツデータと、当該コンテンツに関する自身の著作権情報（著作隣接権）と、利用許諾の締結を示す契約情報とを送付し、コンテンツＩＤの発行をコンテンツＩＤ発行サーバ１０１に要求する。契約情報には、編集コンテンツデータの作成に利用した元のコンテンツデータのコンテンツＩＤが含まれており、そのコンテンツＩＤがコンテンツＩＤ発行サーバ１０１に通知される。
【００７６】
（ステップ１２）；　コンテンツＩＤ発行サーバ１０１は、著作権者２００から送られてきた編集コンテンツデータを一意に識別するためのコンテンツＩＤを発行するとともに、その編集コンテンツデータの編集著作者２０１に関する著作権情報（著作隣接権等）と、編集コンテンツデータに対して発行したコンテンツＩＤとを対応付けて知的財産権データベースサーバ１０２のデータベースに登録する。
【００７７】
（ステップ１３）；　コンテンツＩＤ発行サーバ１０１は、発行したコンテンツＩＤと元のコンテンツデータのコンテンツＩＤとを含む電子透かしを当該編集コンテンツデータの著作権管理情報として当該編集コンテンツデータに埋め込む。この電子透かしで示される２つのコンテンツＩＤと、知的財産権データベースサーバ１０２のデータベースとにより、当該編集コンテンツデータの編集著作者２０１に関する著作権情報と元のコンテンツデータの著作権者２００に関する著作権情報とを証明することが可能となる。
【００７８】
（ステップ１４）；　コンテンツＩＤ発行サーバ１０１は、コンテンツＩＤを編集著作者２０１に通知すると共に、電子透かし入りのコンテンツデータを編集著作者２０１に返却する。
【００７９】
（ステップ１５）；　編集著作者２０１は、コンテンツＩＤと、電子透かし入りのコンテンツデータとを二次著作コンテンツデータベース３０２に登録して、その内容を公開する。
【００８０】
次に、図４を参照して、本実施形態によるコンテンツ管理処理の具体的な手順を認証処理を含めて説明する。ここでは、コンテンツＩＤと著作権情報とを含む電子透かしをコンテンツデータに適用する場合を想定する。
【００８１】
（ステップ０）；　著作権者２００、編集著作者２０１など各権利関係者は、事前に電子認証サーバ１００に登録し、認証を受ける。
（ステップ１）；　著作権者２００は、映像、音楽、他のデータ等のコンテンツデータを作成する。
【００８２】
（ステップ２）；　著作権者２００は、コンテンツＩＤ発行サーバ１０１へコンテンツデータ及び当該コンテンツに関する自身の著作権情報を示す権利情報を送付し、コンテンツＩＤの発行をコンテンツＩＤ発行サーバ１０１に要求する。
【００８３】
（ステップ３）；　コンテンツＩＤ発行サーバ１０１は電子認証サーバ１００と連携して、著作権者２００を認証する。
（ステップ４）；　コンテンツＩＤ発行サーバ１０１は、著作権者２００から送られてきたコンテンツデータを一意に識別するためのコンテンツＩＤを発行するとともに、そのコンテンツデータの著作権情報とコンテンツＩＤとを含む電子透かしをコンテンツデータに埋め込む。
【００８４】
（ステップ５）；　コンテンツＩＤ発行サーバ１０１は、コンテンツデータの著作権情報とコンテンツＩＤとを対応付けて知的財産権データベースサーバ１０２のデータベースに登録する。
（ステップ６）；　コンテンツＩＤ発行サーバ１０１は、コンテンツＩＤを著作権者２００に通知する。
【００８５】
（ステップ７）；　コンテンツＩＤ発行サーバ１０１は、電子透かし（コンテンツＩＤおよび著作権情報）入りのコンテンツデータを著作権者２００に返却する。
（ステップ８）；　著作権者２００は、コンテンツＩＤおよび著作権情報を含むコンテンツＩＤ情報と、電子透かし入りのコンテンツデータとをコンテンツデータベース３００に登録して、その内容を公開する。
【００８６】
（ステップ９）；　編集著作者２０１は、コンテンツデータベース３００にアクセスして、二次利用対象のコンテンツデータに対応するコンテンツＩＤ情報を検索する。
（ステップ１０）；　編集著作者２０１は、検索したコンテンツＩＤ情報から、利用許諾契約を結ぶことが必要な著作権者２００を確認すると共に、電子認証サーバ１００に対してその著作権者２００が正当な登録者であるかどうかを問い合わせる。
【００８７】
（ステップ１１）；　正当な登録者であることが確認されると、編集著作者２０１は、コンテンツＩＤ情報から著作権情報の内容を確認した後、著作権者２００との利用許諾契約処理を開始する。
（ステップ１２）；　著作権者２００は、利用許諾契約を要求した編集著作者２０１が正当な登録者であるかどうかを電子認証サーバ１００に対して問い合わせる。
【００８８】
（ステップ１３）；　正当な登録者であることが確認されると、著作権者２００は、利用許諾契約締結の通知を編集著作者２０１に通知する。
（ステップ１４）；　この後、著作権者２００は、電子透かし入りのコンテンツを編集著作者２０１に引き渡す。
【００８９】
（ステップ１５）；　編集著作者２０１は、著作権者２００から取得した電子透かし入りのコンテンツを編集することによって新たな編集コンテンツデータを作成する。
（ステップ１６）；　編集著作者２０１は、コンテンツＩＤ発行サーバ１０１へ編集コンテンツデータと、当該コンテンツに関する自身の著作権情報（著作隣接権）と、利用許諾の締結を示す契約情報とを送付し、コンテンツＩＤの発行をコンテンツＩＤ発行サーバ１０１に要求する。契約情報は、上述したように、編集コンテンツデータの作成に利用したコンテンツデータの著作権情報を含むものであり、編集コンテンツデータの作成にどのような著作物が利用されたかをコンテンツＩＤ発行サーバ１０１に通知するために用いられる。
【００９０】
（ステップ１７）；　コンテンツＩＤ発行サーバ１０１は電子認証サーバ１００と連携して、編集著作者２０１を認証する。
（ステップ１８）；　コンテンツＩＤ発行サーバ１０１は、著作権者２００から送られてきた編集コンテンツデータを一意に識別するためのコンテンツＩＤを発行するとともに、その編集コンテンツデータの著作権情報（編集コンテンツデータの編集著作者２０１に関する著作権情報（著作隣接権等）と元のコンテンツデータの著作権者２００に関する著作権情報）とコンテンツＩＤとを含む電子透かしを編集コンテンツデータに埋め込む。
【００９１】
（ステップ１９）；　コンテンツＩＤ発行サーバ１０１は、その編集コンテンツデータの著作権情報（編集コンテンツデータの編集著作者２０１に関する著作権情報（著作隣接権等）と元のコンテンツデータの著作権者２００に関する著作権情報）とコンテンツＩＤとを対応付けて知的財産権データベースサーバ１０２のデータベースに登録する。
【００９２】
（ステップ２０）；　コンテンツＩＤ発行サーバ１０１は、コンテンツＩＤを編集著作者２０１に通知する。
（ステップ２１）；　コンテンツＩＤ発行サーバ１０１は、電子透かし（コンテンツＩＤ、編集コンテンツデータの編集著作者２０１に関する著作権情報（著作隣接権等）、および元のコンテンツデータの著作権者２００に関する著作権情報）入りのコンテンツデータを編集著作者２０１に返却する。
【００９３】
（ステップ２２）；　編集著作者２０１は、コンテンツＩＤおよび著作権情報（編集コンテンツデータの編集著作者２０１に関する著作権情報（著作隣接権等）と元のコンテンツデータの著作権者２００に関する著作権情報）を含むコンテンツＩＤ情報と、電子透かし入りのコンテンツデータとを二次著作コンテンツデータベース３０２に登録して、その内容を公開する。
【００９４】
（ステップ２３）；　他の編集著作者２０１または著作権利用者２０２は、著作権者（編集著作者）の管理するコンテンツデータベースにアクセスし、コンテンツＩＤ情報およびコンテンツデータを検索する。
【００９５】
他の編集著作者２０１が編集コンテンツデータを編集して新たな編集コンテンツデータを作成する場合には、上述の著作権者２００と編集著作者２０１との間の著作権利用許諾処理が、編集著作者２０１と他の編集著作者２０１との間、さらには必要に応じて他の編集著作者２０１と元の著作権者２００との間で実行される。そして、編集コンテンツデータを編集することによって作成された編集コンテンツデータには、その編集コンテンツデータに対応するコンテンツＩＤと、他の編集著作者２０１に関する著作権情報（著作隣接権等）と、元の編集著作者２０１に関する著作権情報（著作隣接権等）と、元のコンテンツデータの著作権者２００に関する著作権情報とが、電子透かしとして埋め込まれる。
【００９６】
また、著作権利用者２０２が編集コンテンツデータを流通させる場合には、編集著作者２０１と著作権利用者２０２との間、さらには必要に応じて著作権利用者２０２と元の著作権者２００との間で実行される。そして、流通対象のコンテンツデータには、その編集コンテンツデータに対応するコンテンツＩＤと、流通情報と、編集コンテンツデータの編集著作者２０１に関する著作権情報（著作隣接権等）と、元のコンテンツデータの著作権者２００に関する著作権情報とが、電子透かしとして埋め込まれる。
【００９７】
このようにして、本コンテンツ処理システムによれば、コンテンツデータに電子透かしとして埋め込まれる情報が、「著作権者」→「著作権者および編集著作者」→「著作権者、編集著作者、および著作権利用者」、または「著作権者」→「著作権者および編集著作者」→「著作権者、編集著作者、および編集著作者」、などのように自動的に追加・更新されていく。これにより、コンテンツデータ毎にその二次利用および流通に関する履歴を正しく管理することが可能となる。
【００９８】
なお、以上のコンテンツ管理処理はすべてコンピュータプログラムによって実現されているので、そのコンピュータプログラムを記憶媒体を通じて例えばネットワーク接続されたサーバ等のコンピュータに導入して実行するだけで、本実施形態と同様の効果を容易に得ることが可能となる。
【００９９】
また本発明は、上記実施形態に限定されるものではなく、実施段階ではその要旨を逸脱しない範囲で種々に変形することが可能である。更に、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【０１００】
【発明の効果】
以上詳述した如く本発明によれば、編集により作成されたコンテンツデータ毎にその作成のために利用された個々のコンテンツデータの著作権を証明できるようになり、コンテンツデータの著作権の保護および二次利用を効率よく行うことが可能となる。
【図面の簡単な説明】
【図１】本発明の一実施形態に係るコンテンツ管理処理システムの基本構成を示すブロック図。
【図２】同実施形態のコンテンツ管理処理システムによるコンテンツ管理処理のモデルを構成するレイヤ構造を示す図。
【図３】同実施形態のコンテンツ管理処理システムによって実行されるコンテンツ管理処理の基本手順を説明するフローチャート。
【図４】同実施形態のコンテンツ管理処理システムによって実行されるコンテンツ管理処理の具体的な手順を説明するための図。
【符号の説明】
１００…電子認証サーバ
１０１…コンテンツＩＤ発行サーバ
１０２…知的財産権データベースサーバ
１０３…課金決済サーバ
２００…著作権者
２０１…編集著作者
２０２…著作権利用者
２０３…購入者
３００…コンテンツデータベース
３０２…二次著作コンテンツデータベース
【図１】
2004139184.tif 000003
【図２】
2004139184.tif 000004
【図３】
2004139184.tif 000005
【図４】
2004139184.tif 000006